(57)【要約】【課題】配信情報を利用者に積極的に利用させること。【解決手段】当選確率算出部１０７は、当選確率算出対象の利用者と関係性を有する利用者である関係者を利用者間関係性情報保持部１０５より取得し、当選確率算出対象の利用者及び前記関係者の配信情報の活用度合に応じて前記当選確率算出対象の利用者に係る当選確率を算出する。関係性を有する利用者間が配信情報を活用するほど景品の当選確率があがるため、利用者は関係者の配信情報の利用を促すようになる。【選択図】図１
2012064186.tif 000002
【特許請求の範囲】
【請求項１】
登録された利用者に係る情報を利用して、当該利用者に特化した配信情報を生成する利用者特化型情報生成装置であって、
配信情報の構成要素である配信項目を保持する配信項目格納部と、
利用者に係る情報を保持する利用者情報保持部と、
景品の抽選に係る情報を保持する抽選情報格納部と、
利用者に係る情報に応じて適切な配信項目を選択し、景品の抽選に係る情報を付与して利用者に特化した配信情報を生成する配信情報生成部と、
各利用者間の関係性に係る情報を保持する利用者間関係性情報保持部と、
各利用者の配信情報の活用度合に係る情報を保持する活用度合情報保持部と、
各利用者の景品の抽選に係る当選確率を算出する当選確率算出部と、
前記当選確率算出部により算出された各利用者の景品の抽選に係る当選確率に応じて、景品の当選者を決定する抽選実施部と、を有し、
前記当選確率算出部は、当選確率算出対象の利用者と関係性を有する利用者である関係者を利用者間関係性情報保持部より取得し、当選確率算出対象の利用者及び前記関係者の配信情報の活用度合に応じて前記当選確率算出対象の利用者に係る当選確率を算出することを特徴とする、利用者特化型情報生成装置。
【請求項２】
請求項１に記載の利用者特化型情報生成装置であって、
各利用者の景品の抽選に係る情報を保持する当選確率情報保持部と、
各利用者の景品の抽選に係る情報を利用者へ通知する当選確率情報通知部と、を更に有し、
前記当選確率算出部は、算出した各利用者の景品の抽選に係る当選確率を当選確率情報保持部へ記録し、前記当選確率情報通知部は、利用者からの要求乃至利用者への配信情報の配信の時点における当該利用者の景品の抽選に係る当選確率を当該利用者へ通知することを特徴とする、利用者特化型情報生成装置。
【請求項３】
請求項１に記載の利用者特化型情報生成装置であって、
利用者への配信情報の配信が失敗したときは当該利用者の配信情報の活用度合を減少させる配信可否監視部を、更に備えた利用者特化型情報生成装置。
【請求項４】
請求項１に記載の利用者特化型情報生成装置であって、
前記利用者情報保持部は、利用者の利用期間に係る情報を含み、前記抽選確率算出部は、前記当選確率対象の利用者の利用期間に基づいて当選確率を変動させることを特徴とする、利用者特化型情報生成装置。
【請求項５】
請求項１に記載の利用者特化型情報生成装置であって、
各利用者の配信情報に含まれる各配信項目の着目度を保持する着目度保持部と、を更に有し、
前記当選確率算出部は、当選確率算出対象の利用者及び前記関係者の各配信項目の着目度を取り出し、当該着目度の相関性に応じて、当選確率を増加させることを特徴とする、利用者特化型情報生成装置。
【発明の詳細な説明】
【技術分野】
【０００１】  本発明は、登録された利用者に係る情報を利用して、当該利用者に特化した配信情報を生成する利用者特化型情報生成装置に関し、特に当該利用者と関係性を有する他の利用者の配信情報の活用度合に基づいて景品の抽選確率を計算し、本抽選確率に基づいて配信情報の利用者より景品の当選者を決定するような利用者特化型情報生成装置に関する。
【背景技術】
【０００２】  近年のインターネット及び電子メールの急速な普及に伴い、商品やイベントに関する情報をインターネット及び電子メールを利用して配信する情報配信が注目を集めている。インターネット及び電子メールの配信に係るコストは、従来の郵送型の情報配信と比較して、圧倒的に低いため、資金力が低い個人商店や地域のイベント等、これまで特定多数に向けての情報配信が困難であった商品やイベントに関する情報配信も可能となった。【０００３】  個人商店や地域のイベントに係る情報は、当該個人商店で買い物をする、当該地域のイベントに参加可能である近隣住民や、当該近隣住民と関連性を有する利用者に限定して配信されることが望ましい。インターネット上の情報は膨大であり、前記の通りターゲットを限定した情報配信がされなければ、利用者は本配信情報を適切に利用できないためである。このような背景から、ユーザが住んでいる場所から物理的に移動が可能な地域・範囲を算出し、本地域・範囲に属し、当該利用者の趣味・嗜好等に適合した情報のみを配信する、という取り組みがなされている（例えば特許文献１）。
【先行技術文献】
【特許文献】
【０００４】
【特許文献１】特開２０１０−２０８０２
【発明の概要】
【発明が解決しようとする課題】
【０００５】  しかしながら、上述の技術は、配信情報を受信する利用者に特化して配信する情報の選択及び配信の実施を決定するものであるため、当該受信した利用者が、配信された情報を実際に活用するシーンを想定すると次のような問題がある。【０００６】  配信される情報は、地域の百貨店での特売情報や、地域で開催されるイベント情報等であるから、本情報の利用とは、当該特売情報に記載された商品を購入するためのショッピングや、イベントへの参加、となる。ここで、ショッピングやイベント参加は、当該情報を受信した利用者単独ではなく、友人・知人を誘って複数人で参加することが一般的である。このため配信する情報は、ある利用者のみの地域・趣味・嗜好等に特化するのではなく、当該利用者と交友関係を有する利用者群の地域・趣味・嗜好等を考慮したものとすべきである。しかし、上記特許文献１に記載の公知例では、利用者と交友関係を有する利用者群の情報の活用について、考慮がなされていない。
【課題を解決するための手段】
【０００７】  請求項１に記載の発明は、登録された利用者に係る情報を利用して、当該利用者に特化した配信情報を生成する利用者特化型情報生成装置であって、配信情報の構成要素である配信項目を保持する配信項目格納部と、利用者に係る情報を保持する利用者情報保持部と、景品の抽選に係る情報を保持する抽選情報格納部と、利用者に係る情報に応じて適切な配信項目を選択し、景品の抽選に係る情報を付与して利用者に特化した配信情報を生成する配信情報生成部と、各利用者間の関係性に係る情報を保持する利用者間関係性情報保持部と、各利用者の配信情報の活用度合に係る情報を保持する活用度合情報保持部と、各利用者の景品の抽選に係る当選確率を算出する当選確率算出部と、前記当選確率算出部により算出された各利用者の景品の抽選に係る当選確率に応じて、景品の当選者を決定する抽選実施部と、を有し、前記当選確率算出部は、当選確率算出対象の利用者と関係性を有する利用者である関係者を利用者間関係性情報保持部より取得し、当選確率算出対象の利用者及び前記関係者の配信情報の活用度合に応じて前記当選確率算出対象の利用者に係る当選確率を算出することを特徴とする、利用者特化型情報生成装置である。【０００８】  かかる構成により、利用者は、当該利用者と交友関係等の関係性を有する他の利用者（関係者）が多く、関係者が配信情報を活用に利用するほど、景品の当選確率が向上する。【０００９】  請求項２に記載の発明は、請求項１に記載の利用者特化型情報生成装置であって、各利用者の景品の抽選に係る情報を保持する当選確率情報保持部と、各利用者の景品の抽選に係る情報を利用者へ通知する当選確率情報通知部と、を更に有し、前記当選確率算出部は、算出した各利用者の景品の抽選に係る当選確率を当選確率情報保持部へ記録し、前記当選確率情報通知部は、利用者からの要求乃至利用者への配信情報の配信の時点における当該利用者の景品の抽選に係る当選確率を当該利用者へ通知することを特徴とする、利用者特化型情報生成装置である。【００１０】  かかる構成により、利用者は、関係者の数及び関係者の配信情報の活用度合に基づき算出された当選確率を視覚的に確認することが可能となる。【００１１】  請求項３に記載の発明は、請求項１に記載の利用者特化型情報生成装置であって、利用者への配信情報の配信が失敗したときは当該利用者の配信情報の活用度合を減少させる配信可否監視部と、を更に備えた利用者特化型情報生成装置である。【００１２】  かかる構成により、当選確率を向上させるために複数の関係者を有するように詐称した利用者の当選確率を減少させることが可能となる。【００１３】  請求項４に記載の発明は、請求項１に記載の利用者特化型情報生成装置であって、前記利用者情報保持部は、利用者の利用期間に係る情報を含み、前記抽選確率算出部は、前記当選確率対象の利用者の利用期間に基づいて当選確率を変動させることを特徴とする、利用者特化型情報生成装置である。【００１４】  かかる構成により、情報の配信期間に応じて当選確率を変動させることが可能となる。【００１５】  請求項５に記載の発明は、請求項１に記載の利用者特化型情報生成装置であって、各利用者の配信情報に含まれる各配信項目の着目度を保持する着目度保持部と、を更に有し、前記当選確率算出部は、当選確率算出対象の利用者及び前記関係者の各配信項目の着目度を取り出し、当該着目度の相関性に応じて、当選確率を増加させることを特徴とする、利用者特化型情報生成装置である。【００１６】  かかる構成により、利用者及び関係者が配信情報に係る共通の項目を活用している場合は、当該利用者及び関係者の当選確率を向上させることが可能となる。
【発明の効果】
【００１７】  以上で説明したように、本発明によれば、配信情報の利用者は、利用者と交友関係を有する者を本配信情報の利用者として紹介すること、及び紹介した利用者に本配信情報を活用させることにつき、景品の当選確率を向上するというインセンティブを教授できることとなる。このため、本発明に係る利用者特化型情報生成装置を利用することで、配信情報を積極的に活用するグループに係る情報を収集し、当該グループにとって有益な配信情報の生成に活用することが可能となる。【００１８】  また、関係者の数及び関係者の配信情報の活用度合に基づいて算出した景品の当選確率を視覚化して利用者へ提示することにより、当該景品の当選確率の向上を目的として、各関係者へ配信情報の利用を促す行動をとると期待できる。これにより、当該配信情報を話題とした利用者・関係者間の会話が発生し、配信情報に関する興味が相互的に醸成されることになる。【００１９】  また、当選確率を向上させるために複数の関係者を有するように詐称した利用者の当選確率を減少させることにより、複数の架空の利用者情報を入力して関係者を増やすことによる当選確率を向上させる行為を抑制することができる。【００２０】  また、情報の配信期間に応じて景品の当選確率を変動させることにより、例えば情報の配信を開始したばかりの新規ユーザや、長期間に渡って本配信情報を活用している利用者に対し、当選確率を向上させることが可能となる。これにより、利用者が短期で情報配信サービスを活用しなくなることや、本情報配信サービスの広告塔として有効に機能することが期待できる長期間利用者が、本情報配信サービスを活用することに関するインセンティブを教授できることになる。【００２１】  また、利用者及び関係者が配信情報に係る共通の項目を活用している場合は、当該利用者及び関係者の当選確率を向上させることにより、利用者及び関係者間で配信情報に含まれる項目を話題としたコミュニケーションが発生すると期待できる。これにより、当該項目に関する興味が相互的に醸成され、配信情報の有効的活用が促進されると期待できる。
【図面の簡単な説明】
【００２２】
【図１】本発明の利用者特化型情報生成装置を搭載した情報配信装置の構成要素を示す図
【図２】配信情報格納部の一例であるデータベースのテーブルの内容を示す図
【図３】利用者情報格納部の一例であるデータベースのテーブルの内容を示す図
【図４】抽選情報格納部の一例であるデータベースのテーブルの内容を示す図
【図５】利用者関係情報保持部の一例であるデータベースのテーブルの内容を示す図
【図６】活用度合情報保持部の一例であるデータベースのテーブルの内容を示す図
【図７】配信情報生成処理全体の処理の流れを示す処理フロー図
【図８】景品抽選処理の流れを示す処理フロー図
【発明を実施するための形態】
【００２３】  以下、図面を適宜参照しながら、本発明の実施の形態について説明する。
（実施の形態１）
【００２４】  図１は、本発明の利用者特化型情報生成装置を搭載した情報配信装置の構成要素を示している。
【００２５】  情報配信装置１は、本発明に係る利用者特化型情報生成装置１０、及び情報配信部１１より構成される。情報配信装置１は、例えばインターネットに接続された情報配信サーバであり、利用者特化型情報生成装置１０が生成した配信情報を、情報配信部１１の機能を活用して配信する。
【００２６】  利用者特化型情報生成装置１０は、配信項目情報格納部１０１、利用者情報保持部１０２、抽選情報格納部１０３、配信情報生成部１０４、利用者間関係情報保持部１０５、活用度合情報保持部１０６、当選確率算出部１０７、及び抽選実施部１０８より構成される。
【００２７】  配信項目情報格納部１０１は、利用者へ配信する情報の元となる配信項目情報を保持する。配信項目情報とは、当該情報の配信者、配信期間、タイトル、キーワード、配信内容、及び詳細情報を保持するＷＥＢサイトのＵＲＬである詳細情報ＵＲＩ等にて構成される情報である。係る配信項目情報を利用者の住所・趣味・嗜好等に応じて適切に編集することにより、利用者に特化した配信情報を生成することが可能となる。図２は、配信情報格納部１０１に格納された配信項目情報の例を示すものである。
【００２８】  利用者情報保持部１０２は、利用者に係る各種情報である利用者情報を保持する。利用者情報は、利用者を示すＩＤである利用者情報ＩＤ、利用者のメールアドレス、氏名、郵便番号、住所、生年月日、性別、パスワード等の当該利用者に関する個人的情報、及び有効紹介者数、及び抽選参加希望フラグ等の景品の抽選に係る情報にて構成される。図３は、利用者情報格納部１０２に格納された利用者情報の例を示すものである。
【００２９】  抽選情報格納部１０３は、抽選の実施に係る各種情報である抽選情報を保持する。抽選情報とは、商品名、商品価格、当選口数、抽選案内日、抽選実施日、発送予定日、対象の属性等にて構成される。図４は、抽選情報格納部１０３に格納された抽選情報の例を示すものである。
【００３０】  配信情報生成部１０４は、利用者情報保持部１０２より利用者情報を読み込み、当該利用者情報の内容に基づいて当該利用者情報に係る利用者へ配信すべき配信項目情報を配信項目情報保持部１０１より１つ以上読み込み、当該利用者へ配信する情報を生成する。ここで、利用者情報生成部１０４は、抽選格納部１０３についても参照し、本日が抽選案内日である抽選情報が存在する場合は、利用者情報を考慮した上で当該抽選情報を当該利用者へ配信する情報へ追加する。ここで、考慮すべき利用者情報は、利用者の性別や、抽選参加希望フラグである。例えば、抽選情報の対象の属性の値として「女性」が設定されている場合は、当該抽選情報に係る商品は女性のみに限定していることを示す。このため、利用者が男性の場合は、当該抽選情報を当該男性利用者へ配信しない。同様に、当該利用者が抽選の実施を希望しない場合（本例においては、抽選参加希望フラグの値が「０」の場合、とする）は、当該利用者へ当該抽選情報を配信しない。
【００３１】  利用者間関係情報保持部１０５は、ある利用者と交友関係等の関係性を有する他の利用者（関係者）との関係性に係る情報である利用者間関係情報を保持する。利用者間関係情報は、利用者情報ＩＤ、関係者の利用者情報ＩＤを示す関係者ＩＤ、及び前記利用者と関係者の関係を示す属性情報より構成される。ここで、属性情報とは、例えば「紹介」や、「非紹介」が挙げられる。「紹介」とは、利用者情報ＩＤにて特定される利用者が、関係者ＩＤにて特定される利用者の紹介者（情報配信装置により配信される情報配信サービスを紹介した者）であることを示す。「非紹介」とは、利用者情報ＩＤにて特定される利用者が、関係者ＩＤにて特定される利用者に「紹介」されたことを示す。図６は、利用者間関係情報保持部１０５に格納された利用者間関係情報を例を示すものである。
【００３２】  活用度合情報保持部１０６は、ある利用者が本情報配信サービスを活用している程度に係る情報である活用度合情報を保持する、活用度合情報とは、利用者情報ＩＤと、本情報配信サービスを活用している程度に係る情報より構成される。本情報配信サービスを活用している程度に係る情報の例としては、本情報配信サービスにて配信される情報に前記の詳細情報ＵＲＩをリンク先として指定したリンクを含む場合、本リンクをクリックした最終クリック日時や、一日あたりのクリック数が挙げられる。図７は、活用度合情報保持部１０６に格納された活用度合情報の例を示すものである。
【００３３】  当選確率算出部１０７は、利用者間関係情報保持部１０５より関係者ＩＤを取り出し、当該関係者ＩＤにて特定される利用者の活用度合情報を活用度合情報保持部１０６より取り出して、本活用度合情報を元に、抽選情報格納部１０３より取り出した抽選情報で特定される景品の当選確率を算出する。本当選確率算出の具体的な処理手順については、後述する。
【００３４】  抽選実施部１０８は、配信情報生成部１０４より利用者情報ＩＤと現在時刻情報を受け取り、抽選情報格納部１０３に当該現在時刻が抽選実施日である抽選情報が存在し、かつ利用者情報保持部１０２より取り出した、利用者情報ＩＤで特定される利用者情報の抽選参加希望フラグが「１」の場合は、当該抽選情報にて特定される景品の抽選を実施する。本抽選実施処理の具体的な処理手順については、後述する。
【００３５】  情報配信部１１は、配信情報生成部１０４が生成した配信情報を当該配信情報の配信を希望する利用者へ電子メール等の電子的情報配信媒体を活用して配信する。なお、本実施例では、情報配信装置１がインターネットに接続された情報配信サーバであることを想定しているため、本情報配信部１１は電子メールを配信媒体として活用しているが、例えばダイレクトメールの配信のように、物理的な配信情報を生成し、配信先情報（住所など）を前記の利用者情報保持部１０２より読み込んで貼り付けた郵送物を生成し、郵送にて配信する形態としてもよい。
【００３６】  次に図７乃至図９を参照しながら、配信情報生成処理全体の処理の流れ、当選確率算出の具体的処理の流れ、及び抽選実施の具体的処理の流れについて説明する。
【００３７】  図７は、配信情報生成処理全体の処理の流れを示すフロー図である。配信処理は、例えば毎週金曜日の午前１０時等、定期的に指定された時刻にて実施される。配信情報生成部は、前記の指定された時刻に起動し、以下の処理を実施する。また、以下の説明においては、配信情報格納部１０１の内容は図２、利用者情報格納部１０２の内容は図３、抽選情報格納部１０３の内容は図４、利用者間関係情報保持部１０５の内容は図５、活用度合情報保持部１０６の内容は図６に記載の情報がすでに設定されているものとして説明を行う。
【００３８】  Ｓ１では、配信情報生成部１０４は、配信対象となる利用者を選択する。配信情報生成部１０４は、利用者情報保持部１０２より一件ずつ利用者情報を取り出す。ここでは、図３に記載の利用者情報が格納された利用者情報保持部より、利用者情報ＩＤ＝１の利用者情報（氏名「Ａ田  太郎」）を取り出したものとして以下説明を行う。以下、本処理にて選択した利用者情報を選択利用者情報と記載する。
【００３９】  Ｓ２では、以下の配信情報生成処理がすべての利用者について完了したかどうかをチェックする。すべての利用者への情報配信が完了した場合は、配信情報生成処理を完了する。本例においては、利用者情報ＩＤ＝１（氏名「Ａ田  太郎」）及び、利用者情報ＩＤ＝２（氏名「Ｂ川  花子」）について以下の処理が完了した場合は、配信情報生成処理を完了する。
【００４０】  Ｓ３では、配信情報生成部１０４は、選択利用者情報に係る利用者に適した配信項目情報を選択する。図示していないが、利用者情報保持部１０２に利用者情報ＩＤに対応して当該利用者情報ＩＤにて特定される利用者の嗜好情報を示すキーワードを記憶しておき、本キーワードと関連性の強いキーワードを有する配信項目情報を優先的に選択することで、当該利用者が興味を抱きやすい配信項目情報を選択することができる。なお、前記のキーワードの他、性別、年齢、住所等も、配信項目情報の選択に利用できる。例えば、選択利用者情報に係る利用者であるＡ田  太郎は、男性であり、生年月日から来年度就職をするものと判断できたとする。また、Ａ田  太郎の住所「○○県ＸＸ市１−１」は「ＡＢＣ百貨店」に地理的に近いものとする。この場合は、「ＡＢＣ百貨店」の「新社会人」に関する配信項目情報である、配信情報ＩＤ＝１（タイトル「新社会人応援セール」）の配信項目情報が選択される。
【００４１】  なお、ここで選択する配信項目情報は２つ以上であってもかまわない。この場合は、選択利用者情報に含まれるキーワード、性別、年齢、情報等を入力として、各配信項目情報が利用者にどの程度興味を抱かれるかを数値化し、本数値の大小を比較して、より興味を抱く配信項目情報を選択するようにする。また、配信項目情報の整列順序についても、前記数値を参照し、より興味を委託配信項目情報を先頭に配置するようにする。
【００４２】  Ｓ４では、配信情報生成部１０４は、景品の抽選に関する情報を生成する。本処理の詳細については、後述する。本例では、抽選情報ＩＤ＝１（商品名「金券」）に関する抽選情報を生成したものとする。
【００４３】  Ｓ５では、Ｓ３にて選択した配信項目情報、及びＳ４にて生成した抽選情報をレイアウトし、最終的に利用者へ配信情報を完成させる。本例では、選択利用者情報に係る利用者「Ａ田  太郎」向けの配信情報として、配信項目ＩＤ＝１の配信項目情報（タイトル「新社会人応援セール」）と、抽選情報ＩＤ＝１（商品名「金券」）を順番に配置した配信情報となる。
【００４４】  Ｓ６では、Ｓ５にて生成した配信情報を選択利用者情報に係る利用者へ配信する。本例では、選択利用者情報に含まれるメールアドレスを利用して、電子メールにて前記配信情報を電子的に送付するものとする。本例では、「Ａ田  太郎」のメールアドレス「ａａａ＠ｎｅｔ．ｃｏ．ｊｐ」へ配信情報を電子メールとして送信する。
【００４５】  上記の処理を繰り返すことにより、利用者情報格納部１０２に格納された利用者へ、利用者に応じた適切な配信情報を送付することができる。
【００４６】  次に上記Ｓ４における景品の抽選に関する情報の生成処理について、図７の処理フロー図を参照しながら説明を行う。
【００４７】  Ｓ４１では、配信情報生成部１０４より景品の抽選に関する情報の生成の要求を受け付けた抽選実施部１０８は、選択利用者情報に含まれる抽選参加希望フラグの値をチェックする。抽選参加希望フラグの値が「１」以外の場合は、本選択利用者情報に係る利用者は、抽選を要望していないため、以下に記載するＳ４２〜Ｓ４４の処理は実施しない。
【００４８】  Ｓ４２では、抽選実施部１０８は、抽選情報格納部１０３より現在時刻が抽選案内日内である抽選情報を全て取り出す。以下、本処理によって取り出した抽選情報を抽選案内期間内抽選情報群とよぶ。本例では、現在時刻が２０１０年４月１日１０時００分であり、抽選案内期間内抽選情報群は、抽選情報ＩＤ＝１（商品名「金券」）のみであるとして説明を行う。
【００４９】  Ｓ４３では、抽選案内期間内抽選情報群より抽選情報とひとつ取り出す。全ての抽選案内期間内抽選情報群の取出しが完了している場合は、景品の抽選に関する情報の生成処理を完了する。以下では、ここで取り出した抽選情報を選択抽選情報と記載する。本例では、抽選案内期間内抽選情報群に含まれる抽選情報は抽選情報ＩＤ＝１（商品名「金券」）のみであるため、選択抽選情報は抽選情報ＩＤ＝１（商品名「金券」）であるとする。
【００５０】  Ｓ４４では、抽選実施部１０８は、選択利用者情報の配信済み抽選情報ＩＤに、選択抽選情報の抽選情報ＩＤが存在する場合は、以降の処理を実施せずにＳ４３へ戻る。選択利用者情報に係る利用者へ既に配信された抽選情報を再配信しないようにするためである。本例では、選択利用者情報に係る利用者である「Ａ田太郎」の配信済み抽選情報ＩＤに選択抽選情報に係る抽選情報「１」は存在しないため、次の処理（Ｓ４５）へ進む。
【００５１】  Ｓ４５では、抽選実施部１０８は、選択抽選情報の対象の属性と、選択利用者情報の各種項目を比較し、当該属性に選択利用者情報に係る利用者が属するかどうかを判断する。当該利用者が当該属性に属さない場合は、以降の処理を実施せずにＳ４３へ戻る。本例においては、選択抽選情報の対象の属性は「全員」であるため、選択利用者情報の各項目に関わらず、次の処理（Ｓ４６）へ進む。なお、抽選情報ＩＤ＝２（商品名「アクセサリ」）については、対象の属性が「女性」であるため、選択利用者情報に係る利用者「Ａ田太郎」（性別は「男性」）に関しては、以降の処理の処理は実施しない。
【００５２】  Ｓ４６では、抽選実施部１０８は、選択抽選情報に係る景品の当選確率を計算し、選択利用者情報に係る利用者の「景品の当選確率」に設定する。本処理の具体的な内容については後述する。
【００５３】  上記の処理を繰り返すことにより、利用者情報格納部１０２に格納された利用者について、抽選を実施している各種景品の当選確率を算出することが可能となる。
【００５４】  次に上記Ｓ４６における選択抽選情報に係る景品の当選確率を計算処理について、図８の処理フロー図を参照しながら説明を行う。
【００５５】  Ｓ４６０１では、抽選実施部１０８は、選択利用者情報に係るメール不正度ＭＬを算出する。メール不正度ＭＬとは、０．０〜１．０の値をとる変数であって、選択利用者情報の係るメールアドレスが不正なものと断定できる場合（当該メールアドレスと、選択利用者情報に係る利用者が結びつかない、すなわち当該利用者が詐称されたものである）は、１．０となり、当該メールアドレスが全く不正ではないものと断定できる場合（当該メールアドレスと、選択利用者情報に係る利用者が確実に結び付けられる）は０．０となる。本実施の形態では、当該メールアドレスが携帯電話のメールアドレスの場合は、０．０、それ以外の場合は、０．５とするものとする。携帯電話のメールアドレス（メールアドレスのドメイン部が携帯電話キャリアによるものである）は携帯電話の利用者と一対一で対応するため、不正ではないと判断できるためである。一方、ＷＥＢメールのように利用者が簡単にメールアドレスを作れてしまうような場合は、当該メールアドレスと利用者の一対一対応を保障することが困難である。不正な利用者は、複数のメールアドレスを作成し、複数の利用者登録を実施することで、景品の当選確率を向上させることが可能となってしまう。このような不正を防ぐ目的で、携帯電話以外のメールアドレスについては、不正なものである可能性を考慮して、０．５としている。本例では、「ｎｅｔ．ｃｏ．ｊｐ」が携帯電話キャリアのドメイン名であるとする。選択利用者情報に係るメールアドレスは「ａａａ＠ｎｅｔ．ｃｏ．ｊｐ」であるので、ＭＬ＝０．０となる。
【００５６】  Ｓ４６０２では、抽選実施部１０８は、選択利用者情報に係る住所不正度ＡＤを計算する。住所不正度ＡＤとは、選択利用者情報に係る住所が不正なものであると断定できる場合は１．０、当該住所が全く不正なものではないと断定できる場合は０．０となる。本実施の形態においては、同一の住所が複数の利用者情報に設定されている場合、及び実在しない住所が設定されている場合は、当該住所が設定された選択利用者情報に係る利用者の住所不正度を１．０とし、それ以外の場合は０．０とすることとする。本例では、選択利用者情報に係る住所「○○県ＸＸ市１−１」は実在するものとする。また、同一の住所は利用者情報格納部に存在しないため、ＡＤ＝０．０となる。
【００５７】  Ｓ４６０３では、抽選実施部１０８は、選択利用者情報に係る利用頻度ＦＲを計算する。当該利用頻度ＦＲは、選択利用者情報に係る利用者が配信情報をある閾値以上積極的に利用している場合は１．０、全く利用していいない場合は０．０となる。本実施の形態においては、活用度合情報保持部１０６より一日あたりのクリック数を読み込み、本値が１．０以上の場合は、１．０、それ以外の場合は、当該一日あたりのクリック数の値をそのままＦＲの値として採用するものとする。本例では、選択利用者情報の利用者情報ＩＤ（＝「１」）に係る活用度合情報の一日当たりのクリック数は「０．２」である。よって、ＦＲ＝０．２となる。なお、一日あたりのクリック数は、選択利用者情報に係る利用者が配信情報を利用（例えば配信情報内に埋め込まれたリンクを選択）した回数を、当該利用者が本配信情報サービスを利用している日数で除した値である。
【００５８】  Ｓ４６０４では、抽選実施部１０８は、選択利用者情報に係る最近利用度合ＲＳを算出する。最近利用度合ＲＳは、選択利用者情報に係る利用者が配信情報をある閾値より後に利用している場合は１．０、当該閾値より後の利用がない場合は０．０となる。本実施の形態においては、活用度合情報保持部１０６より最終クリック日時を読み込み、本値より現在時刻を引いた値が７日以内の場合は、１．０、それ以外の場合は、０．０とする。本例においては、本例では、選択利用者情報の利用者情報ＩＤ（＝「１」）に係る活用度合情報の最終クリック日時は「２０１０年３月３１日」であり、現在時刻は「２０１０年４月１日１０時００分」であるため、現在時刻より前記最終クリック日時を引いた値は７日以内となる。よって、ＲＳは１．０となる。
【００５９】  Ｓ４６０５では、抽選実施部１０８は、前記にて算出したＭＬ、ＡＤ、ＦＲ、及びＲＳを利用して、数１により、選択利用者情報に係る利用者の不正度Ｌを算出する。
【数１】
2012064186.tif 000003
ここでａ、ｂ、ｃ、及びｄは、それぞれＭＬ、ＡＤ、ＦＲ、及びＲＳの値に係る重み付けを行うための定数であり、０．０〜１．０の値を取る。本定数値の設定により、メールアドレスの不正、住所の不正、配信情報の利用状況、及び配信情報の最近の利用状況のいずれを重要視して不正度を算出するかにつき決定することができる。本例では、ａ乃至ｄを１．０とする。
【００６０】  Ｓ４６０６では、抽選実施部１０８は、前記算出した不正度Ｌの値により、選択利用者情報に係る利用者のアクティブユーザ判定を行う。本実施の形態では、不正度Ｌが閾値以下の場合は、選択利用者情報のアクティブフラグを「１」とする。
【００６１】  Ｓ４６０７では、抽選実施部１０８は、利用者関係情報保持部１０５より、利用者情報ＩＤが選択利用者情報の利用者情報ＩＤと一致する利用者関係情報群を取り出す。
【００６２】  Ｓ４６０８では、抽選実施部１０８は、前記利用者関係情報群よりひとつずつ利用者関係情報を取り出し（取り出した利用者関係情報を選択利用者関係情報と記載する）、選択利用者関係情報に係る関係者ＩＤと一致する利用者情報ＩＤを有する利用者情報（以下関係利用者情報と記載する）について、上記Ｓ４６０１〜Ｓ４６０６の処理を実施して、アクティブフラグを設定する。
【００６３】  次に抽選実施部１０８は、前記の処理にてアクティブフラグを設定した数を、選択利用者情報の有効関係者数に設定する。
【００６４】  Ｓ４６０９では、抽選実施部１０８は、選択利用者情報に係る利用者の、選択抽選情報に係る景品の当選確率を算出する。
【産業上の利用可能性】
【００６５】  本発明によれば、配信情報の利用者は、利用者と交友関係を有する者を本配信情報の利用者として紹介すること、及び紹介した利用者に本配信情報を活用させることにつき、景品の当選確率を向上するというインセンティブを教授できることとなる。このため本発明は、インターネットを活用した広告配信システム等に活用できる。また、インターネットを利用しないダイレクトメール型の広告配信システムにおいても応用が可能である。
【符号の説明】
【００６６】  １  情報配信装置
１０  利用者特化型情報生成装置
１０１  配信項目情報格納部
１０２  利用者情報保持部
１０３  抽選情報格納部
１０４  配信情報生成部
１０５  利用者間関係情報保持部
１０６  活用度合情報保持部
１０７  当選確率算出部
１０８  抽選実施部
１１  情報配信部
【図１】
2012064186.tif 000004
【図２】
2012064186.tif 000005
【図３】
2012064186.tif 000006
【図４】
2012064186.tif 000007
【図５】
2012064186.tif 000008
【図６】
2012064186.tif 000009
【図７】
2012064186.tif 000010
【図８】
2012064186.tif 000011